(57)【要約】【課題】  スマートフォンに装着されるスマートフォンのケースに吊り下げ用の紐を取り付けることができ、スマートフォンを首から吊り下げて使用できるスマートフォンのケースを提供する。【解決手段】  背板１と、背板１の左右両端に設けた左側板２及び右側板３と、背板１の上下両端に設けた天板４及び底板５とを有するケース本体１０を構成し、前記底板５又は天板４のいずれか一方又は両方に吊下手段を係止するための係止部８を構成したスマートフォンのケース。【選択図】図１
0003183517.tif 000002
【実用新案登録請求の範囲】
【請求項１】
背板と、背板の左右両端に設けた左側板及び右側板と、背板の上下両端に設けた天板及び底板とを有するケース本体を構成し、
前記底板又は天板のいずれか一方又は両方に吊下手段を係止するための係止部を構成したことを特徴とするスマートフォンのケース。
【請求項２】
前記係止部を、底板後端に構成したことを特徴とする請求項１記載のスマートフォンのケース。
【請求項３】
前記ケース本体の前方角部の内側にスマートフォンの脱落を防止するためのストッパーを構成したことを特徴とする請求項１又は２記載のスマートフォンのケース。
【考案の詳細な説明】
【技術分野】
【０００１】
本考案は、スマートフォンに装着されるケースに関するものであり、特に首から吊り下げることのできるスマートフォンのケースに関するものである。
【背景技術】
【０００２】
従来より、スマートフォンのケースは、ケース本体をスマートフォンに外嵌固定して装着するようにしたものがあったが、この種のケースには、ケース本体にストラップ孔が設けられていなかった。
従って、従来では、スマートフォンにケースを装着すると、ストラップを取り付けることができず、スマートフォンあるいはケースをストラップを利用して吊り下げることができなかった。
そのためスマートフォンのケースにストラップを取り付けることができて、ストラップを利用して落下を防止できるようにしたスマートフォンケースが提案されていた。
【先行技術文献】
【特許文献】
【０００３】
【特許文献１】実用新案登録第３１７８６１２号
【０００４】
前記特許文献１記載の考案は、後壁部（３）と後壁部（３）と左右一対の側壁部（４）とを有するケース本体（５）がスマートフォン（８）に外嵌固定して装着されるスマートフォンケースにおいて、ケース本体（５）に、第１ストラップ孔（１５）と第２ストラップ孔（１６）とが互いに間隔をおいて並んで設けられて、この第１ストラップ孔（１５）と第２ストラップ孔（１６）との間にストラップ取付部（１８）が形成されているスマートフォンケースである。
【考案の概要】
【考案が解決しようとする課題】
【０００５】
上記特許文献１記載の考案によれば、ストラップを利用して落下を防止できるようにしたスマートフォンケースを提供するものであるが、この従来例ではストラップしか取り付けることができないため、ストラップを手の指で吊り下げることはできるが首から下げられないため、作業中に両手が自由にならず、スマートフォンの収容あるいは携帯するためにはポケット等の袋状のものを利用しなくてはならないという問題点があった。
【０００６】
上記問題点を解決するために、本考案はスマートフォンに装着されるスマートフォンのケースに吊り下げ用の紐を取り付けることができ、スマートフォンを身体から吊り下げて使用できるスマートフォンのケースを提供することを目的とする。
【課題を解決するための手段】
【０００７】
請求項１に記載の考案は、背板と、背板の左右両端に設けた左側板及び右側板と、背板の上下両端に設けた天板及び底板とを有するケース本体を構成し、前記底板又は天板のいずれか一方又は両方に吊下手段を係止するための係止部を構成したことを特徴とするスマートフォンのケースである。
【０００８】
請求項２に記載の考案は、前記係止部を、底板後端に構成したことを特徴とするスマートフォンのケースである。
【０００９】
請求項３に記載の考案は、前記ケース本体の前方角部の内側にスマートフォンの脱落を防止するためのストッパーを構成したスマートフォンのケースである。
【考案の効果】
【００１０】
請求項１記載のスマートフォンのケースによれば、ケース本体の底板又は天板のいずれか一方又は両方に吊下手段を係止するための係止部を構成したから、吊下手段によって身体に吊り下げることができるため使用に際して置き場所にとらわれず便利であると共に、持ち運ぶときにも吊り下げたまま運べるため紛失の恐れもない。
さらに、使用しないときには、壁等に掛けて吊り下げて保管できるため保管場所が特定できて便利である等の効果を有する。
【００１１】
請求項２記載のスマートフォンのケースによれば、前記係止部を底板後端に構成したから、身体に吊り下げたときにスマートフォンが身体に密着して安定すると共に、使用時にはスマートフォンの画面が見やすいという効果を有する。
【００１２】
請求項３記載のスマートフォンのケースによれば、ケース本体の前方角部の内側を張り出してストッパーを構成したから、スマートフォンに衝撃や振動が加わってもケース本体から外れる恐れがなく、常にケース内に安定して保持されるという効果を有する。
【図面の簡単な説明】
【００１３】
【図１】スマートフォンのケースの一部切欠正面図
【図２】図１の一部拡大図
【図３】スマートフォンのケースの側面図
【図４】図１のII―II線断面図
【図５】スマートフォンのケースの一部切欠き底面図
【図６】スマートフォンのケースの使用状態図
【図７】スマートフォンのケースの使用状態図
【図８】スマートフォンのケースの使用状態図
【考案を実施するための形態】
【００１４】
本考案の一実施形態を図面に基づいて説明する。
図示のように、本実施形態のスマートフォンのケースのケース本体１０は、スマートフォン２０の後面を覆う背板１を構成し、この背板１の左側端に左側板２を、右側端に右側板３を、上端に天板４を、下端に底板５をそれぞれ前方（図３の左方）に突出して互いに連結して設けたものである。
そして前記左側板２、右側板３、天板４、底板５のそれぞれの前端にスマートフォン２０の周端部を保持するための保持部６を、背板１の表面に平行に張り出して構成してある。
【００１５】
前記底板５に、吊下手段である留め具２５を係合するための係止部８を構成する。前記係止部８は、底板５の中央後端に取り付けられており、表面８ａと背板１の表面１ａが同一面となっている（図３参照）。
【００１６】
前記係止部８は、底板５の中央に限らず任意の位置に設けることもできる。さらに底板５に限らず天板４に構成することができ、さらに底板５と天板４の両方に構成しても良い。この係止部８の孔８１に、紐３０を備えた留め具２５を着脱自在に係合するのである。
【００１７】
前記ストッパー７は、図２に示すように、ケース本体１０の角部における保持部の端縁の延長線６ａより内側に張り出して構成している。このストッパー７は本実施形態のように４個設けてもよいが、個数及び設ける場所も任意に決定できる。
【００１８】
上記のように構成した実施形態１の作用を説明する。
ケース本体１０にスマートフォン２０を嵌合固定し、係止部８に留め具２５を掛けて紐３０で首から吊り下げて使用しあるいは持ち運ぶ（図７参照）。
【００１９】
このとき係止部８が底板５の後端に設けられているためスマートフォン２０は逆さに吊り下げられており、これによって使用時にスマートフォン２０を手に取った時に見やすくなるのである。さらに図８に示すように、首から吊り下げて使用するときには、ケース本体１０は、係止部８が首に回した紐３０で引っ張られているため、胸部や腹部等の身体５０の表面に密着して安定して保持される。
また、ストッパー７の作用により強い衝撃等を受けてもスマートフォン２０がケース本体１０から外れる恐れもない。
【００２０】
前記本実施形態は、スマートフォンを首から吊り下げるため、両手が空き、他の作業に邪魔にならないというメリットがある。また、使用後もそのまま手を放して首から吊り下げれば、連続的に他の仕事ができる。さらにはスマートフォンの置き場所に困らず、落下や紛失の恐れもない。
【符号の説明】
【００２１】
１  背板
２  左側板
３  右側板
４  天板
５  底板
６  保持部
７  ストッパー
８  係止部
１０  ケース本体
２０  スマートフォン
２５  留め具（吊下手段）
３０  紐（吊下手段）
【図１】
0003183517.tif 000003
【図２】
0003183517.tif 000004
【図３】
0003183517.tif 000005
【図４】
0003183517.tif 000006
【図５】
0003183517.tif 000007
【図６】
0003183517.tif 000008
【図７】
0003183517.tif 000009
【図８】
0003183517.tif 000010